【手続補正書】
【提出日】平成20年7月18日(2008.7.18)
【手続補正１】
【補正対象書類名】明細書
【補正対象項目名】請求項６
【補正方法】変更
【補正の内容】
【請求項６】  前記ベーク処理室と前記封着処理室との間に、前記中間処理室として表面浄化処理室とゲッタ処理室が介在されており、該表面浄化処理室において、前記ベーク処理室を経た前記パネル部材に表面浄化処理を施し、前記ゲッタ処理室において、前記表面浄化処理室を経た前記パネル部材にゲッタ処理を施すことを特徴とする請求項２に記載の画像表示装置の製造方法。
【手続補正２】
【補正対象書類名】明細書
【補正対象項目名】請求項１０
【補正方法】変更
【補正の内容】
【請求項１０】  前記表面浄化処理室における表面浄化処理後、直ちに前記ゲッタ処理室におけるゲッタ処理を施すことを特徴とする請求項６に記載の画像表示装置の製造方法。
【手続補正３】
【補正対象書類名】明細書
【補正対象項目名】請求項１３
【補正方法】変更
【補正の内容】
【請求項１３】  前記表面浄化処理室における表面浄化処理後、直ちに前記ゲッタ処理室におけるゲッタ処理を施すことを特徴とする請求項１１に記載の画像表示装置の製造方法。
【手続補正４】
【補正対象書類名】明細書
【補正対象項目名】０００８
【補正方法】変更
【補正の内容】
【０００８】
上記本発明の第２は、前記ベーク処理室と前記封着処理室との間に、前記中間処理室としてゲッタ処理室が介在されており、該ゲッタ処理室において、前記ベーク処理室を経た前記パネル部材にゲッタ処理を施すこと、
前記ゲッタ処理室において、更に、ゲッタ処理室内のゲッタ処理を行うこと、
前記ベーク処理室と前記ゲッタ処理室との間に、前記中間処理室として冷却処理室が介在されており、該冷却処理室において、前記ベーク処理室を経た前記パネル部材に冷却処理を施すこと、
前記ベーク処理室と前記封着処理室との間に、前記中間処理室として表面浄化処理室とゲッタ処理室が介在されており、該表面浄化処理室において、前記ベーク処理室を経た前記パネル部材に表面浄化処理を施し、前記ゲッタ処理室において、前記表面浄化処理室を経た前記パネル部材にゲッタ処理を施すこと、
前記ゲッタ処理室において、更に、ゲッタ処理室内のゲッタ処理を行なうこと、
前記ベーク処理室と前記表面浄化処理室との間に、前記中間処理室として冷却処理室が介在されており、該冷却処理室において、前記ベーク処理室を経た前記パネル部材に冷却処理を施すこと、
前記表面浄化処理室と前記ゲッタ処理室との間に、前記中間処理室として冷却処理室が介在されており、該冷却処理室において、前記表面浄化処理室を経た前記パネル部材に冷却処理を施すこと、
前記表面浄化処理室における表面浄化処理後、直ちに前記ゲッタ処理室におけるゲッタ処理を施すこと、
前記ベーク処理室と前記封着処理室との間に、前記中間処理室として表面浄化処理室と予備ゲッタ処理室とゲッタ処理室とが介在されており、該表面浄化処理室において、前記ベーク処理室を経た前記パネル部材に表面浄化処理を施した後、前記表面浄化処理室を経た前記パネル部材を前記予備ゲッタ処理室に搬入して当該予備ゲッタ処理室内のゲッタ処理を行い、更にゲッタ処理室において、前記予備ゲッタ処理室を経た前記パネル部材にゲッタ処理を施すこと、
前記表面浄化処理室と前記予備ゲッタ処理室との間に、前記中間処理室として冷却処理室が介在されており、該冷却処理室において、前記表面浄化処理室を経た前記パネル部材に冷却処理を施すこと、
前記表面浄化処理室における表面浄化処理後、直ちに前記ゲッタ処理室におけるゲッタ処理を施すこと、
前記表面浄化処理は、前記パネル部材の表面に電子線を照射して前記パネル部材の表面を浄化する処理、前記パネル部材の表面にイオンを照射して前記パネル部材の表面を浄化する処理、前記パネル部材の表面に紫外線を照射して前記パネル部材の表面を浄化する処理、前記パネル部材の表面にプラズマを照射して前記パネル部材の表面を浄化する処理のいずれかであること、
前記ベーク処理室と前記封着処理室との間に、前記中間処理室として予備ゲッタ処理室とゲッタ処理室とが介在されており、前記ベーク処理室を経た前記パネル部材を前記予備ゲッタ処理室に搬入して当該予備ゲッタ処理室内のゲッタ処理を行い、前記ゲッタ処理室において、前記予備ゲッタ処理室を経た前記パネル部材にゲッタ処理を施すこと、
前記ベーク処理室と前記予備ゲッタ処理室との間に、前記中間処理室として冷却処理室が介在されており、該冷却処理室において、前記ベーク処理室を経た前記パネル部材に冷却処理を施すこと、
前記封着処理室の封着処理は、封着材を用いた処理で、該封着材は、前記封着処理室への搬入時のパネル部材の温度以上で、しかも前記封着処理室における封着箇所の局部加熱温度以下の封着温度を有すること、
前記パネル部材は、前記表示パネルの表示面を構成するフェースプレートと、前記表示パネルの背面を構成するリアプレートとを含み、前記封着処理室の封着処理が、該フェースプレートとリアプレートを対向させて周囲を封着する処理であること、
前記封着処理が、封着材を用いた処理で、前記フェースプレート側とリアプレート側のいずれか一方又は両者に設けられた封着材を用いて行われること、
前記フェースプレートとリアプレートのいずれか一方に、前記パネルの側面を構成する外枠が予め固定されており、該外枠と、前記フェースプレート又はリアプレートの該外枠と対向する位置とのいずれか一方又は両者に封着材が設けられており、前記封着処理が該封着材を用いて行われること、
をその好ましい態様として含むものである。
【手続補正５】
【補正対象書類名】明細書
【補正対象項目名】００１３
【補正方法】変更
【補正の内容】
【００１３】
図１（ａ）において、１０１〜１０４は、表示パネル１４４を構成するパネル部材で、１０１は表示パネル１４４の背面を構成するリアプレート（以後ＲＰと表記する）である。本例におけるＲＰ１０１は、蛍光体励起手段として、複数の電子放出素子がマトリクス配置された電子源を有するものとなっている。１０２は、表示パネル１４４の前面を構成するフェースプレート（以後ＦＰと表記する）である。本例におけるＦＰ１０２は、蛍光体、メタルバックなどが形成されたものとなっている。１０３は、表示パネル１４４の側面を構成する外枠であり、ＲＰ１０１とＦＰ１０２の間に配置され、ＲＰ１０１及びＦＰ１０２と共に気密容器である表示パネル１４４を構成する。１０４はスペーサであり、ＲＰ１０１とＦＰ１０２との間隔を維持するものである。本例では、外枠１０３とスペーサ１０４が事前にＲＰ１０１上に配置固定されたものとなっている。また、外枠１０３の端面には、封着材１４３が設けられている。
【手続補正６】
【補正対象書類名】明細書
【補正対象項目名】００５０
【補正方法】変更
【補正の内容】
【００５０】
図示される例においては、封着処理室１１０に、局所加熱手段１４６と共に温度制御手段１３６，１３７が設けられているが、この温度制御手段１３６，１３７は省略することもできる。しかし、この温度制御手段１３６，１３７を設け、封着処理室１１０の直前の中間処理室における温度制御手段（図面ではゲッタ処理室１０９の温度制御手段１３２，１３３）の設定温度以下の温度に設定しておくと、局部加熱手段１４６による熱が封着箇所の周囲に伝わることによるパネル部材１０１〜１０４の温度上昇を抑制し、後処理室１１１における冷却時間を短縮することができる。図示される例では、局部加熱される箇所以外のパネル部材１０１〜１０４は１００℃に維持されている。また、封着処理室１１０の真空雰囲気は、製造される表示パネル内の真空雰囲気に直接影響するため、高真空であることが好ましい。図示される例においては、１０-6Ｐａになっている。